(57)【要約】      （修正有）【課題】紙容器のキャップの注出口から内容液をスムーズに注出できる紙容器のキャップの技術を提供する。【解決手段】紙容器１は外観が直方体形状に形成され、紙容器本体１ａの頂面２にキャップ５を備える。キャップ５はフランジ部６と注出部７とキャップ部８で構成され、フランジ部６は円形の開口部Ｓを備えて頂面２に固着される。円筒状の注出部７には紙容器本体１ａの開口予定部Ｋを開口するための円筒状のインサート部９を備え、インサート部９の内側面９ａに内容液の流れをガイドするガイド手段としての螺旋状溝部１０を備える。溝部１０は幅Ｗ、深さＤ、螺旋ピッチＰで形成される。内容液Ｑのインサート部９の螺旋状溝部１０の内部を旋回して成る螺旋流Ｑ１が内容液Ｑを覆って内容液Ｑ２として注出される。【選択図】図２
2011184066.tif 000002
【特許請求の範囲】
【請求項１】
紙基材を折り曲げて頂面と底面と複数の側面から成る紙容器本体に内容液を注出するキャップを備える紙容器のキャップであって、
前記キャップはフランジ部と注出部とキャップ部から成り、前記フランジ部が前記頂面に形成される開口予定部を覆って固着され、前記注出部の内部に内容液の流れをガイドするガイド手段を備えることを特徴とする紙容器のキャップ。
【請求項２】
請求項１に記載の紙容器のキャップであって、前記ガイド手段は螺旋状突起部であることを特徴とする紙容器のキャップ。
【請求項３】
請求項１に記載の紙容器のキャップであって、前記ガイド手段は螺旋状溝部であることを特徴とする紙容器のキャップ。
【請求項４】
請求項１に記載の紙容器のキャップであって、前記ガイド手段は前記注出部と同芯で備える回転自在のプロペラであることを特徴とする紙容器のキャップ。
【請求項５】
請求項１乃至請求項４のいずれか１項に記載の紙容器のキャップであって、前記注出部は紙容器本体の前記開口予定部を開口する筒状インサート部を備え、前記筒状インサート部は円筒状のインサート本体と、注出口を備える六角形状のインサート頭部とから成り、このインサート頭部は前記キャップ部の内底部に形成される六角形溝に上下スライド自在に収納され、前記注出部の外周面に形成される第一雄螺子が前記キャップ部の内周面に形成される第一雌螺子と螺合する一方で、前記注出部の内周面に形成される第二雄螺子が前記インサート本体の外周面に形成される第二雌螺子と螺合し、左螺子の第二雄螺子は右螺子の第一雄螺子より大きなピッチで形成され、前記筒状インサート部に前記ガイド手段を備えることを特徴とする紙容器のキャップ。
【発明の詳細な説明】
【技術分野】
【０００１】
本発明は液体を充填する液体食品用容器のキャップ構造に関し、詳しくは液体食品用の紙容器から内容液を注出する際に流れが乱れずスムーズに流出する紙容器のキャップに関する。
【背景技術】
【０００２】
従来、牛乳、清涼飲料等の液体食品を充填する紙容器のキャップに関する従来技術として特許文献１に掲載の内容が知られている。図９に示すように、キャップ５１が外観直方体形状の六面体から成る紙容器５２の頂面５３に取付けられ、キャップ５１は注出部５１ａとフランジ部５１ｂと、注出部５１ａに螺合する図示しないキャップ部とで構成される。この紙容器５２であればスポーツや屋内外活動時等に手軽に持運びができて注出部５１ａから内容液５４を注出して飲用できるので利便性に優れる。
【先行技術文献】
【特許文献】
【０００３】
【特許文献１】特開２００８−１５５９５４号公報
【発明の概要】
【発明が解決しようとする課題】
【０００４】
従来技術のキャップでは、内容液５４を注出する際に、内容液５４の流れ５４ａが、たまに、乱れが生じる不都合が生じる場合がある。そこで、本発明はかかる従来技術の不都合に鑑みなされたものであって、キャップの注出口から内容液が乱れること無くスムーズに注出できる紙容器のキャップを提供することを目的とする。
【課題を解決するための手段】
【０００５】
請求項１の発明は、紙基材を折り曲げて頂面と底面と複数の側面から成る紙容器本体に内容液を注出するキャップを備える紙容器のキャップであって、
キャップはフランジ部と注出部とキャップ部から成り、フランジ部が頂面に形成される開口予定部を覆って固着され、注出部の内部に内容液の流れをガイドするガイド手段を備えることを特徴としている。
【０００６】
この発明の好ましい態様の発明は、請求項１に記載の紙容器のキャップであって、ガイド手段は螺旋状溝部であることを特徴としている。
【０００７】
この発明の好ましい態様の発明は、請求項１に記載の紙容器のキャップであって、ガイド手段は螺旋状突起部であることを特徴としている。
【０００８】
この発明の好ましい態様の発明は、請求項１に記載の紙容器のキャップであって、ガイド手段は注出部と同軸で備える回転自在のプロペラであることを特徴としている。
【０００９】
この発明の好ましい態様の発明は、請求項１乃至請求項４のいずれか１項に記載の紙容器のキャップであって、注出部は紙容器本体の開口予定部を開口する筒状インサート部を備え、筒状インサート部は円筒状のインサート本体と、注出口を備える六角形状のインサート頭部とから成り、このインサート頭部はキャップ部の内底部に形成される六角形溝に上下スライド自在に収納され、注出部の外周面に形成される第一雄螺子がキャップ部の内周面に形成される第一雌螺子と螺合する一方で、注出部の内周面に形成される第二雄螺子がインサート本体の外周面に形成される第二雌螺子と螺合し、左螺子の第二雄螺子は右螺子の第一雄螺子より大きなピッチで形成され、筒状インサート部にガイド手段を備えることを特徴としている。
【発明の効果】
【００１０】
請求項１の発明によれば、キャップ構造はフランジ部と注出部とキャップ部から成り、フランジ部が頂面に形成される開口予定部を覆って固着され、注出部の内部に内容液の流れをガイドするガイド手段を備えるので、このガイド手段によって内容液の流れが整流される。このため、紙容器のキャップの注出口から内容液が乱れること無くスムーズに注出するのでキャップ性能が向上し紙容器の品質が向上する。
【００１１】
この発明の好ましい態様によれば、ガイド手段は螺旋状溝部であるので、螺旋状溝部の内部を内容液が旋回しながら螺旋流として注出するため、内容液はこの螺旋流で覆われながら流れるので乱れること無く、請求項１と同様の効果が確実に得られる。
【００１２】
この発明の好ましい態様によれば、ガイド手段は螺旋状突起部であるので、内容液が一対の螺旋状突起部で囲まれて旋回しながら螺旋流として注出するため、請求項２と同様の効果が確実に得られる。
【００１３】
この発明の好ましい態様によれば、ガイド手段は注出部と同芯で備える回転自在のプロペラなので、内容液がプロペラを回転しながら螺旋流として流れるので請求項２と同様の効果が確実に得られる。
【００１４】
この発明の好ましい態様によれば、第二雄螺子は第一雄螺子より大きなピッチで形成されるので、キャップ部を左回りに回転すると、キャップ部が上昇すると同時にインサートがキャップ部の上昇スピードより早く下降するので、キャップ部が注出部から外れると同時にインサート部が開口予定部を破断できる。そして、注出部の筒状インサート部に備えるガイド手段によって内容液を注出することができるので、請求項１乃至請求項４のいずれか１項と同様の効果が確実に得られる。
【図面の簡単な説明】
【００１５】
【図１】本発明の第一の実施形態における、外観が直方体形状の紙容器本体１ａの頂面２にキャップ５を備えた状態を示すキャップ付紙容器１の斜視図である。
【図２】本発明の第一の実施形態における、図１のＡ−Ａ断面図で、キャップ５の注出部７に備えるスライダー９に螺旋状溝部１０が形成された状態を示す図である。
【図３】本発明の第一の実施形態における、紙容器本体１ａを形成する帯状包材２０の平面図である。
【図４】本発明の第一の実施形態における、図３のＢ−Ｂ断面図で、開口予定部Ｋの状態を示す断面図である。
【図５】本発明の第一の実施形態における、注出部７に備えるスライダー９から内容液Ｑ２を注出する状態を示す断面図である。
【図６】本発明の第二の実施形態における、キャップ５のインサート部９に螺旋状突起部３０を設けた状態を示すキャップ５の断面図である。
【図７】本発明の第三の実施形態における、キャップ５のインサート部９に回転自在の四翼のプロペラ３１を設けた状態を示すキャップ５の断面図である。
【図８】本発明の第四の実施形態における、キャップ５の注出部７にプルタブ３２を設けた状態を示すキャップ５の断面図である。
【図９】従来例における、キャップ付紙容器５２の頂面５３に設けたキャップ５１から内容液５４を注出する状態を示す側面図である。
【発明を実施するための形態】
【００１６】
＜本発明の実施形態＞
以下に、本発明の第一の実施形態を図１〜図５に基づいて説明する。
＜紙容器のキャップの構成＞
【００１７】
図１、図２に示すように、キャップ付き紙容器１は矩形の頂面２と底面３と四側面４（正面４ａ、裏面４ｂ、側面４ｃ、側面４ｄ）で外観が直方体形状に形成された紙容器本体１ａの頂面２の開口予定部Ｋを覆ってキャップ５を備え、紙容器本体１ａにジュース等の内容液が充填される。
【００１８】
キャップ５はフランジ部６と注出部７とキャップ部８で構成され、注出部７にキャップ部８が螺合する。フランジ部６と注出部７は一体形成され、フランジ部６に注出部７の内径と同径の開口部Ｓを備える。なお、開口部Ｓは開口予定部Ｋと同じ大きさの円形である。
【００１９】
ここで、注出部７には開口予定部Ｋを開口するための円筒状のインサート部９を備え、インサート部９の内側面９ａに内容液の流れをガイドするガイド手段としての螺旋状溝部１０を備える。螺旋状溝部１０は断面の幅Ｗ、深さＤ、螺旋ピッチＰで形成される。
【００２０】
インサート部９は注出口Ｔとして六角形状のインサート頭部１１を備え、インサート頭部１１はキャップ部８の内底部８ａに形成された六角形溝８ｂに上下スライド自在に収納される。注出部７の外周面に第一雄螺子７ａが形成され、キャップ部８の内周面に形成される第一雌螺子８ｂと螺合する。さらに、注出部７の内周面に第二雄螺子７ｂが形成され、第二雄螺子７ｂがインサート本体９ａの外周面に形成される第二雌螺子９ｂと螺合する。ここで第一雄螺子７ａは右螺子で第二雄螺子７ｂは左螺子であり、第二雄螺子７ｂは第一雄螺子７ａより大きなピッチで形成される。フランジ部６、注出部７、キャップ部８、インサート部９は各々樹脂成形される。
【００２１】
図３、図４に示すように、帯状の包材２０には紙容器本体１ａを成型容易とするための複数の折り目が形成され、紙容器一個分に該当する領域Ｅにおいて、縦方向の折り目２１、２２、２３、２４、横方向の折り目２５、２６、２７、２８、斜め方向の８本の折り目２９、がそれぞれ形成される。上記紙容器本体１ａの正面４ａ側の頂面２に該当する領域に内容液を注ぐための円形の開口予定部Ｋが形成される。
【００２２】
包材２０の構成は、外側から内側にかけて順に、外側層２０ａ、紙基材２０ｂ、接着層２０ｃ、バリヤー層２０ｄ、二層の内側層２０ｅから成り、紙基材２０ｂの外側面にデザイン等２０ｆが予め印刷される。外側層２０ａ、内側層２０ｅは低密度ポリエチレン樹脂、接着層２０ｃはポリエチレン或いはエチレン共重合体等の樹脂、バリヤー層２０ｄはアルミ箔等で形成される。開口予定部Ｋは開口容易とするために紙基材２０ｂが円形状に切り抜かれる。
【００２３】
「キャップ付き紙容器の製造工程の説明」
図示しない充填機において、帯状包材２０を下方に搬送しながら両端部を重ねて筒状に縦線シールして内容液を充填した後に、横線シールして紙容器一個分に該当する領域Ｅを切離して原型容器を形成し、縦方向の折り目２１、２２、２３、２４、横方向の折り目２５、２６、２７、２８、及び斜め方向の複数の折り目２９を折り曲げて、矩形の頂面２と底面３と四側面４から成る外観直方体形状の紙容器本体１ａが連続形成される。
【００２４】
キャップ５を紙容器本体１ａの頂面２に取付ける方法は、図示しない装置でフランジ部６の裏面の領域Ｓ１をマイクロフレーム等で溶融し、頂面２の開口予定部Ｋに位置合わせして固着する。
【００２５】
＜紙容器のキャップの作用＞
上記、円筒状の注出部７には紙容器本体１ａの開口予定部Ｋを開口するための円筒状のインサート部９を備え、第一雄螺子７ａは右螺子で第二雄螺子７ｂは左螺子で、第二雄螺子７ｂは第一雄螺子７ａより大きなピッチで形成される。このため、キャップ部８を左回りに回転すると、キャップ部８が上昇すると同時にインサート９がキャップ部８の上昇スピードより早く下降する。その結果キャップ部８が注出部７から外れる前に、インサート部９が確実に開口予定部Ｋを破断する事ができるので、キャップ部８を開けると内容液が注出できる状態である。
【００２６】
図５に示すように、インサート部９の内側面９ａに内容液の流れをガイドするガイド手段としての螺旋状溝部１０を備えるので、紙容器１を傾けて内容液Ｑを注出する際に内容液Ｑの一部は螺旋状溝部１０の内部を旋回しながら螺旋流Ｑ１として注出する。このため、内容液Ｑは螺旋流Ｑ１で覆われながら略層流の内容液Ｑ２として注出するので流れがスムーズで安定して乱れる事も無くなくなり、キャップ性能が向上し紙容器としての品質が向上する。なお、螺旋状溝部１０の断面の幅Ｗ、深さＤ、螺旋ピッチＰは内容液の流動性等を考慮して最適な寸法に設定される。
＜本発明の第二の実施形態＞
【００２７】
本発明の第二の実施形態を図６に基づいて説明するが、図２、図５と同様の構成に関しては同符号を用いて重複する説明を省く。
【００２８】
図６に示すように、インサート部９に内容液の流れをガイドする螺旋状突起部３０が幅Ｆ１、ピッチＰで設けられ、インサート部９の内径Ｆとすると螺旋状突起部３０の幅Ｆ１は、Ｆ１＜Ｆ／２の範囲で形成される。このため、内容液Ｑは内側面９ａと一対の螺旋状突起部３０に囲まれて旋回しながら螺旋流Ｑ１となる一方で、内容液Ｑを中央部に覆いながら注出口Ｔから注出することができるので、内容液Ｑ２は流れが乱れること無くスムーズに注出できるので、キャップ性能が向上し紙容器の品質が向上する。なお、インサート部９の内径Ｆに対する螺旋状突起部３０の幅Ｆ１は内容液全体の流動性を考慮して設定される。
＜本発明の第三の実施形態＞
【００２９】
本発明の第三の実施形態を図７に基づいて説明するが、図２、図５と同様の構成に関しては同符号を用いて重複する説明を省く。
【００３０】
インサート部９の内部に回転自在の四翼のプロペラ３１を設ける。プロペラ３１の軸部３１ａは支持棒３１ｂを介してインサート９と同芯に備えるので、内容液Ｑがプロペラ３１を旋回しながら螺旋流Ｑ１となる。このため、内容液Ｑ２は螺旋流Ｑ１として注出口Ｔから乱れること無くスムーズに注出することができるので、キャップ性能が向上し紙容器の品質が向上する。
＜本発明の第四の実施形態＞
【００３１】
本発明の第四の実施形態を図８に基づいて説明するが、図２、図５と同様の構成に関しては同符号を用いて重複する説明を省く。
【００３２】
注出部７に開口手段としてのプルタブ３２を備え、プルタブ３２はプルリング３３と開口基部３４から成り、開口基部３４は注出部７の基部７ａと薄肉部３５で連結し、開口基部３４は開口予定部Ｋに固着する。このため、プルリング３３を引き上げることで開口基部３４が薄肉部３５を破断して開口予定部Ｋを容易に開口できる。そして、注出部７に螺旋状溝部１０が形成されるので、第一の実施形態と同様の効果が得られる。
【００３３】
以上、本発明の実施例を図面に基づいて説明したが、具体的な構成はこの実施例に限られるものではなく本発明の要旨を逸脱しない範囲の設計変更等があっても本発明に含まれる。例えば、キャップ５は紙容器本体１ａの頂面２が傾斜する場合や６角柱状の紙容器等々色んな形状の紙容器に対して適用することができる。注出部９に備える回転自在の四翼のプロペラ３１は内容液の流動性に対応して例えば三翼でも構わない。螺旋状溝部１０と螺旋状突起部３０を同時に備える構成でもよい。
【符号の説明】
【００３４】
１  紙容器
１ａ  紙容器本体
２  頂面
５  キャップ
６  フランジ部
７  注出部
８  キャップ部
９  インサート部
９ａ  内側面
１０  螺旋状溝部
Ｄ  深さ
Ｋ  開口予定部
Ｐ  螺旋ピッチ
Ｑ  内容液
Ｑ１  螺旋流
Ｓ  開口部
Ｗ  幅
【図１】
2011184066.tif 000003
【図２】
2011184066.tif 000004
【図３】
2011184066.tif 000005
【図４】
2011184066.tif 000006
【図５】
2011184066.tif 000007
【図６】
2011184066.tif 000008
【図７】
2011184066.tif 000009
【図８】
2011184066.tif 000010
【図９】
2011184066.tif 000011